(57)【特許請求の範囲】
【請求項１】
薬液注入装置がシリンジのプランジャを押圧する圧力を測定し、測定値を表示分解能ｘに合わせる補正を行う測定装置と、
前記測定装置により生成された補正後の前記測定値の時間変化をグラフで表示する表示装置と、を有し、
空気が充填されている前記シリンジの前記プランジャを前記薬液注入装置が押圧した場合に前記測定装置により測定される値ｐは、０より大ａ未満又は０より大ａ以下であり、
前記測定装置は、前記測定値を前記表示分解能ｘに合わせる補正において、前記測定値が０以上ａ未満又は０以上ａ以下の時、補正後の値が０となるように前記測定値を補正する表示システム。
【請求項２】
請求項１に記載の表示システムにおいて、
前記測定装置又は前記表示装置は、前記測定値を前記表示分解能ｘに合わせる補正に利用されるａの値である第１の値を変更する変更部をさらに有する表示システム。
【請求項３】
請求項２に記載の表示システムにおいて、
前記変更部は、ユーザにより指定された値に前記第１の値を変更する表示システム。
【請求項４】
請求項２に記載の表示システムにおいて、
前記変更部は、前記シリンジ及び前記シリンジに充填される薬液の少なくとも一方に関する情報の入力を受付け、前記情報に基づき決定した値に前記第１の値を変更する表示システム。
【請求項５】
請求項１から４のいずれか１項に記載の表示システムにおいて、
前記測定装置又は前記表示装置は、前記測定値からｒを差し引く補正を行う第２補正部を有し、
前記ｒは、０＜（ｐ−ｒ）＜ａを満たす表示システム。
【請求項６】
請求項５に記載の表示システムにおいて、
前記第２補正部は、ユーザにより指定されたｒを前記測定値から差し引く表示システム。
【請求項７】
請求項５に記載の表示システムにおいて、
前記第２補正部は、前記シリンジ及び前記シリンジに充填される薬液の少なくとも一方に関する情報の入力を受付け、前記情報に基づき決定したｒを前記測定値から差し引く表示システム。
【請求項８】
請求項１から７のいずれか１項に記載の表示システムにおいて、
前記シリンジは、前記シリンジに関する情報を付されたプレフィルドシリンジ又は空シリンジである表示システム。
【請求項９】
請求項１から８のいずれか１項に記載の表示システムが有する測定装置。
【請求項１０】
請求項１から８のいずれか１項に記載の表示システムが有する表示装置。
【請求項１１】
測定装置が、
薬液注入装置がシリンジのプランジャを押圧する圧力を測定し、測定値を表示分解能ｘに合わせる補正を行い、
表示装置が、
前記測定装置により生成された補正後の前記測定値の時間変化をグラフで表示し、
空気が充填されている前記シリンジの前記プランジャを前記薬液注入装置が押圧した場合に前記測定装置により測定される値ｐは、０より大ａ未満又は０より大ａ以下であり、
前記測定装置は、前記測定値を前記表示分解能ｘに合わせる補正において、前記測定値が０以上ａ未満又は０以上ａ以下の時、補正後の値が０となるように前記測定値を補正する処理方法。
【発明の詳細な説明】
【技術分野】
【０００１】
本発明は、表示システム、表示装置、測定装置、表示方法、及び、プログラムに関する。
【背景技術】
【０００２】
特許文献１に、薬液注入装置が開示されている。オペレータは、薬液が充填されたシリンジを当該薬液注入装置の所定位置にセットする。薬液注入装置は、所定位置にセットされたシリンジのプランジャを押圧し、被験者に薬液を注入する（注入動作）。また、薬液注入装置は、薬液注入時、実際の注入速度を検出し、当該注入速度の時系列な変化（時系列グラフ）をディスプレイにリアルタイムに表示する。
【先行技術文献】
【特許文献】
【０００３】
【特許文献１】特開２０１４−２２５２７２号
【発明の概要】
【発明が解決しようとする課題】
【０００４】
薬液注入装置に空のシリンジ（空気が充填されているシリンジ）がセットされた状態で、薬液注入装置に注入動作を行わせるという誤操作が発生する場合がある。このような誤操作が発生した場合、オペレータに当該誤操作を気付かせる手段が望まれている。特許文献１に開示の技術の場合、当該問題を解決できない。
【０００５】
本発明は、薬液注入装置に空のシリンジ（空気が充填されているシリンジ）がセットされた状態で、薬液注入装置に注入動作を行うせるという誤操作を、オペレータに気付かせるための手段を提供することを課題とする。
【課題を解決するための手段】
【０００６】
本発明によれば、
薬液注入装置がシリンジのプランジャを押圧する圧力を測定し、測定値を表示分解能ｘに合わせる補正を行う測定装置と、
前記測定装置により生成された補正後の前記測定値の時間変化をグラフで表示する表示装置と、を有し、
空気が充填されている前記シリンジの前記プランジャを前記薬液注入装置が押圧した場合に前記測定装置により測定される値ｐは、０より大ａ未満又は０より大ａ以下であり、
前記測定装置は、前記測定値を前記表示分解能ｘに合わせる補正において、前記測定値が０以上ａ未満又は０以上ａ以下の時、補正後の値が０となるように前記測定値を補正する表示システムが提供される。
【０００７】
また、本発明によれば、上記測定装置が提供される。
【０００８】
また、本発明によれば、上記表示装置が提供される。
【０００９】
本発明によれば、
測定装置が、
薬液注入装置がシリンジのプランジャを押圧する圧力を測定し、測定値を表示分解能ｘに合わせる補正を行い、
表示装置が、
前記測定装置により生成された補正後の測定値の時間変化をグラフで表示し、
空気が充填されている前記シリンジの前記プランジャを前記薬液注入装置が押圧した場合に前記測定装置により測定される値ｐは、０より大ａ未満又は０より大ａ以下であり、
前記測定装置は、前記測定値を前記表示分解能ｘに合わせる補正において、前記測定値が０以上ａ未満又は０以上ａ以下の時、補正後の値が０となるように前記測定値を補正する処理方法が提供される。
【００１０】
また、本発明によれば、
コンピュータを、
薬液注入装置がシリンジのプランジャを押圧する圧力を測定する測定装置による測定結果に基づき、前記薬液注入装置が前記プランジャを押圧する圧力を表示する表示手段として機能させ、
前記表示手段に、空気が充填されている前記シリンジの前記プランジャを前記薬液注入装置が押圧している場合、その旨の表示を行わせるプログラムが提供される。
【発明の効果】
【００１１】
本発明によれば、薬液注入装置に空のシリンジ（空気が充填されているシリンジ）がセットされた状態で、薬液注入装置に注入動作を行わせるという誤操作を、オペレータに気付かせるための手段が実現される。
【図面の簡単な説明】
【００１２】
【図１】本実施形態の装置のハードウエア構成の一例を概念的に示す図である。
【図２】本実施形態の表示システムの機能ブロック図の一例である。
【図３】本実施形態の表示システムの適用例を説明するための図である。
【図４】本実施形態の測定装置の機能ブロック図の一例である。
【図５】本実施形態の表示装置の機能ブロック図の一例である。
【図６】本実施形態の変換ルールの一例を模式的に示す図である。
【図７】本実施形態の変換ルールの一例を模式的に示す図である。
【図８】本実施形態の変換ルールの一例を模式的に示す図である。
【図９】本実施形態の圧力表示画面の一例を模式的に示す図である。
【図１０】本実施形態の圧力表示画面の一例を模式的に示す図である。
【図１１】本実施形態の測定装置の機能ブロック図の一例である。
【図１２】本実施形態の表示装置の機能ブロック図の一例である。
【図１３】本実施形態のａ値決定ルールの一例を模式的に示す図である。
【図１４】本実施形態のａ値決定ルールの一例を模式的に示す図である。
【図１５】本実施形態の測定装置の機能ブロック図の一例である。
【図１６】本実施形態の測定装置の機能ブロック図の一例である。
【図１７】本実施形態の表示装置の機能ブロック図の一例である。
【図１８】本実施形態のｒ値決定ルールの一例を模式的に示す図である。
【図１９】本実施形態の表示システムの適用例を説明するための図である。
【図２０】本実施形態の表示システムの適用例を説明するための図である。
【図２１】本実施形態の表示システムの適用例を説明するための図である。
【図２２】本実施形態の表示システムの適用例を説明するための図である。
【図２３】本実施形態の薬液注入装置にディスプレイを設けた例を示す斜視図である。
【発明を実施するための形態】
【００１３】
まず、本実施形態の装置のハードウエア構成の一例について説明する。本実施形態の装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インタフェイスを中心にハードウエアとソフトウエアの任意の組合せによって実現される。そして、その実現方法、装置にはいろいろな変形例があることは、当業者には理解されるところである。
【００１４】
図１は、本実施形態の装置のハードウエア構成の一例を概念的に示す図である。図示するように、本実施形態の装置は、例えば、バス１０Ａで相互に接続されるＣＰＵ１Ａ、ＲＡＭ（Random Access Memory）２Ａ、ＲＯＭ（Read Only Memory）３Ａ、表示制御部４Ａ、ディスプレイ５Ａ、操作受付部６Ａ、操作部７Ａ、通信部８Ａ、補助記憶装置９Ａ等を有する。なお、図示しないが、その他、外部機器と有線で接続される入出力インタフェイス、マイク、スピーカ等の他の要素を備えてもよい。
【００１５】
ＣＰＵ１Ａは各要素とともに装置のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置９Ａは、例えばＨＤＤ（Hard Disc Drive）やメモリカード等であり、大容量のデータを記憶可能である。
【００１６】
ディスプレイ５Ａは、例えば、表示装置（ＬＥＤ（Light Emitting Diode）表示器、液晶ディスプレイ、有機ＥＬ（Electro Luminescence）ディスプレイ等）である。ディスプレイ５Ａは、タッチパッドと一体になったタッチパネルディスプレイであってもよい。表示制御部４Ａは、ＶＲＡＭ（Video RAM）に記憶されたデータを読み出し、読み出したデータに対して所定の処理を施した後、ディスプレイ５Ａに送って各種画面表示を行う。操作受付部６Ａは、操作部７Ａを介して各種操作を受付ける。操作部７Ａは、操作キー、操作ボタン、スイッチ、ジョグダイヤル、タッチパネルディスプレイ、キーボードなどを含む。通信部８Ａは、有線及び／または無線で、インターネット、ＬＡＮ（Local Area Network）等のネットワークに接続し、他の電子機器と通信する。
【００１７】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００１８】
＜第１の実施形態＞
まず、本実施形態の表示システムの概要について説明する。本実施形態の表示システムは、薬液注入装置がシリンジのプランジャを押圧する圧力を測定する手段と、薬液注入装置がシリンジのプランジャを押圧する圧力をリアルタイムに表示する手段と、を有する。このような本実施形態の表示システムによれば、オペレータは、薬液注入装置がシリンジのプランジャを押圧している時に、リアルタイムに、当該押圧の圧力を確認することができる。
【００１９】
また、本実施形態の表示システムは、薬液注入装置が空のシリンジ（空気が充填されているシリンジ）のプランジャを押圧している時、その旨の表示を行う。このような表示を視認することで、オペレータは、空のシリンジ（空気が充填されているシリンジ）がセットされた状態で薬液注入装置に注入動作を行わせるという誤操作に気付くことができる。以下、本実施形態の表示システムの構成を詳細に説明する。
【００２０】
図２に、本実施形態の表示システム１の機能ブロック図の一例を示す。図示するように、表示システム１は、測定装置１０と、表示装置２０とを有する。
【００２１】
最初に、図３を用いて、本実施形態の表示システム１の適用例を説明する。図３には、注入実行ユニット３０と、注入制御ユニット４０とを有する薬液注入装置が示されている。注入実行ユニット３０及び注入制御ユニット４０は、有線又は無線で互いに通信するよう構成されている。当該適用例では、注入制御ユニット４０が、本実施形態の表示装置２０を備える。そして、注入実行ユニット３０が、本実施形態の測定装置１０を備える。以下、注入実行ユニット３０、注入制御ユニット４０の順に、これらの構成を説明する。
【００２２】
注入制御ユニット４０は、操作部と、表示部と、通信部とを有する。
【００２３】
表示部は、薬液注入作業に関する各種情報をディスプレイ４１に表示する。オペレータは当該情報を視認しながら、所定の作業を行う。以下、表示される情報の一例を示す。薬液注入作業の進行に合わせて、これらの情報が順次表示される。なお、一部の情報は同時に表示される。
【００２４】
「被験者の情報」：氏名、年齢、性別、体重、身長、持病等
「薬液の情報」：製品名称、薬液ＩＤ、化学分類、含有成分、粘度、消費期限、容量、ヨード量、製造メーカ等
「シリンジの情報」：シリンジＩＤ、シリンジ容量、シリンダ耐圧、シリンダ内径、ピストンストローク、ロット番号、販売価格等
「撮像オーダデータ」：被験者ＩＤ、撮像部位、身体区分、撮像日等
「注入制御データ」：薬液注入量、注入速度等
「リアルタイムな作業内容」：注入実行ユニット３０がシリンジのプランジャを押圧している圧力、圧力の時間変化、注入開始（押圧開始）からの経過時間、注入開始（押圧開始）からの累積注入総量、注入速度等
【００２５】
通信部は、注入実行ユニット３０、ＨＩＳ（Hospital Information System）、ＲＩＳ（Radiology Information System）、ＰＡＣＳ（Picture Archive and Communication System）、透視撮像装置（ＣＴ（Computed Tomography）アンギオ装置、ＭＲＡ（Magnetic Resonance Angiography）装置等）、及び、他の外部装置等と、有線及び／又は無線で通信する。当該通信により、通信部は上述のような所定の情報を取得してもよい。そして、表示部は、通信部が取得した情報に基づいて、上述のような情報の表示を行ってもよい。
【００２６】
操作部は、注入制御データを変更する入力や、注入実行ユニット３０による注入動作を制御するための入力等を受付ける。注入実行ユニット３０による注入動作を制御するための入力は、例えば、シリンジのプランジャを押圧する処理を開始させる入力や、当該処理を停止させる入力等が考えられる。通信部は、操作部が受付けたこのような入力内容を、注入実行ユニット３０やその他の装置に送信する。操作部は、あらゆる入力装置を利用して、入力を受付けることができる。例えば、タッチパネルディスプレイ、マイク、操作ボタン等が考えられるが、これらに限定されない。
【００２７】
注入実行ユニット３０は、シリンジがセットされる保持部３１と、シリンジのプランジャを押圧する押圧部３２と、押圧部３２を駆動（スライド移動）させる駆動部と、押圧部３２がプランジャを押圧する圧力を測定する測定部と、駆動部を制御する駆動制御部と、通信部と、操作部と、を有する。
【００２８】
保持部３１は、所定形状のシリンジが嵌る形状及び大きさの窪みを有する。駆動部は、モータ等の発動機、及び、発動機が発生させた動力を押圧部３２に伝える伝達機構を備える。駆動部からの力により、押圧部３２は、保持部３１の窪みの延伸方向に沿ってスライド移動する。当該スライド移動により、押圧部３２は、保持部３１に保持されたシリンジのプランジャを押圧する。駆動制御部は、駆動部の動作、例えば、動力を発生させる処理のＯＮ／ＯＦＦや、発生させる動力等を制御する。
【００２９】
保持部３１に保持されるシリンジは、例えば、プレフィルドシリンジ又は空シリンジ等である。プレフィルドシリンジは、予め薬液が充填されたシリンジである。空シリンジは、薬液が充填されていないシリンジである。
【００３０】
シリンジには、シリンジに関する情報が付されていてもよい。例えば、シリンジに関する情報を示す一次元コード（例：バーコード等）や二次元コード（例：ＱＲコード（登録商標）等）がシリンジに付されていてもよい。その他、シリンジに関する情報を記憶した記憶装置（例：ＲＦＩＤタグ等）がシリンジに付されてもよい。
【００３１】
なお、上述しなかったが、注入実行ユニット３０は、近距離無線通信を行う無線通信部を備えてもよい。無線通信部による無線通信の手段は特段制限されない。
【００３２】
例えば、シリンジの所定位置にＲＦＩＤチップが搭載されていてもよい。ＲＦＩＤチップには、例えば、上述した薬液の情報やシリンジの情報等が記録されている。そして、無線通信部は、保持部３１にシリンジが保持されると、当該シリンジのＲＦＩＤチップと無線通信し、上述のような情報を取得することができる。
【００３３】
また、上述しなかったが、注入実行ユニット３０は、測定部により得られた測定データを補正する補正部を備えてもよい。
【００３４】
操作部は、注入実行ユニット３０による注入動作を制御するための入力等を受付ける。例えば、シリンジのプランジャを押圧する処理を開始させる入力や、当該処理を停止させる入力や、押圧部３２を所定の方向に移動させる入力等が考えられる。操作部は、あらゆる入力装置を利用して、入力を受付けることができる。例えば、操作ボタン（図示する三角、四角、丸のボタン）等が考えられるが、これに限定されない。
【００３５】
通信部は、注入制御ユニット４０、ＨＩＳ、ＲＩＳ、ＰＡＣＳ、透視撮像装置、及び、他の外部装置等と有線及び／又は無線で通信する。通信部は、測定部により得られた測定データを、注入制御ユニット４０や、他の装置に送信することができる。また、通信部は、補正部により補正された補正後の測定データを、注入制御ユニット４０や、他の装置に送信することができる。また、通信部は、無線通信部が取得した情報を、注入制御ユニット４０や、他の装置に送信することができる。
【００３６】
また、通信部は、注入制御ユニット４０や他の装置から注入制御データや、注入動作を制御するためのデータ等を受信することができる。駆動制御部は、通信部が受信したこのようなデータに基づいて、駆動部による駆動を制御することができる。
【００３７】
注入実行ユニット３０は、透視撮像装置等とともに検査室に設置される。一方、注入制御ユニット４０は、検査室と異なる部屋、例えば検査室と隣接する操作室に設置される。
【００３８】
ここで、本実施形態の表示システム１の他のバリエーションの一例を説明する。上記例では、注入実行ユニット３０と注入制御ユニット４０とが直接通信（データの送受信）を行う例を説明したが、図１９に示すように、注入実行ユニット３０及び注入制御ユニット４０は、中継装置５０を介して通信を行ってもよい。
【００３９】
図２０の例では、中継装置５０にディスプレイ５１が備えられている。図２１の例では、注入実行ユニット３０にディスプレイ３３が備えられている。図２２の例は、中継装置５０がない点で図２１の例と異なる。ディスプレイ３３及びディスプレイ５１には、注入制御ユニット４０のディスプレイ４１に表示される情報と同様な情報が表示される。このようにすれば、オペレータは、検査室及び操作室の両方で同様な情報を確認できる。なお、ディスプレイ３３、ディスプレイ４１及びディスプレイ５１の少なくとも一つはタッチパネルディスプレイとなっており、薬液注入作業に関する所定の情報を入力できるようになっていてもよい。このように構成すれば、オペレータは、検査室及び操作室のどちらにいても、同様な作業（例：情報の確認、入力）を行うことができる。結果、作業性の向上が期待される。図２３に、注入実行ユニット３０に設けられたディスプレイ３３の斜視図の一例を示す。例えば、ディスプレイ３３がタッチパネルディスプレイとなっており、当該入力装置を介して所定の入力が行えてもよい。例えば、ディスプレイ３３に表示された所定のボタンをタッチすることで、試験注入に移行するなどしてもよい。なお、ディスプレイ３３に表示されたボタンに対するタッチ操作に加えて又は代えて、物理ボタン（図示する物理ボタンのいずれか）に対する押下操作により、試験注入に移行するなどしてもよい。
【００４０】
以上、図３、図１９乃至図２３を用いて本実施形態の表示システム１の適用例を示したが、本実施形態の表示システム１の適用例はこれに限定されない。
【００４１】
次に、図２に戻って、本実施形態の表示システム１の構成を詳細に説明する。
【００４２】
まず、測定装置１０について説明する。図４に、本実施形態の測定装置１０の機能ブロック図の一例を示す。図示するように、測定装置１０は、測定部１１を有する。
【００４３】
測定部１１は、「薬液注入装置がシリンジのプランジャを押圧する圧力」を測定する。図３の例の場合、測定部１１は、保持部３１に保持されたシリンジのプランジャを押圧部３２が押圧する圧力を測定する。
【００４４】
測定部１１による測定手段としては、圧力センサを用いる方式や、駆動電流を測定する方式等が考えられるが、これらに限定されない。
【００４５】
圧力センサを用いる方式の場合、上記圧力を測定可能な位置（設計的事項）に、圧力センサを設置しておく。図３を用いて説明した例の場合、例えば押圧部３２のシリンジと接する面に、圧力センサを設置してもよい。そして、測定部１１は、このような圧力センサを用いて圧力を測定してもよい。
【００４６】
駆動電流を測定する方式の場合、測定部１１は、シリンジのプランジャを押圧する力を発生させる発動機の消費電流を測定する。図３を用いて説明した例の場合、測定部１１は、押圧部３２をスライド移動させるための力を発生させる発動機（モータ等）の消費電流を測定する。予め、発動機の消費電流と、圧力との関係を調べておくことで、測定した発動機の消費電流から、上記圧力を特定することができる。当該例の場合、測定部１１は、測定した消費電流から上記圧力を特定するための対応情報を予め保持しておく。
【００４７】
測定部１１は、薬液注入装置によるプランジャの押圧が始まると、所定の時間間隔で（設計的事項）、上記圧力を測定することができる。このようにして測定された測定値を示す測定データ（圧力の時系列データ）は、表示装置２０にリアルタイムに送信される。
【００４８】
次に、表示装置２０について説明する。図５に、本実施形態の表示装置２０の機能ブロック図の一例を示す。図示するように、表示装置２０は、取得部２１と、表示部２２とを有する。表示装置２０が表示する情報は、図３、図１９乃至図２３を用いて説明した例のディスプレイ４１に表示される。なお、ディスプレイ４１に加えて、さらに、ディスプレイ３３又はディスプレイ５１に表示されてもよい。
【００４９】
取得部２１は、測定装置１０の測定部１１が測定した測定値を示す測定データを取得する。取得部２１は、測定部１１が上記圧力を測定すると、リアルタイムに測定データを取得する。
【００５０】
表示部２２は、取得部２１が取得した測定データに基づいて、薬液注入装置がプランジャを押圧する圧力をリアルタイムに表示する。
【００５１】
なお、表示部２２は、「薬液が充填されているシリンジ」のプランジャを薬液注入装置が押圧している時には、その圧力（目安）を表示する。一方、表示部２２は、「空気が充填されているシリンジ（空のシリンジ）」のプランジャを薬液注入装置が押圧している時には、その旨の表示を行う。すなわち、表示部２２は、薬液が充填されている場合と空気が充填されている場合とで、異なる表示を行う。
【００５２】
当然、空気が充填されているシリンジ（空のシリンジ）のプランジャを押圧する場合にも、一定の力が必要になる。このため、空気が充填されているシリンジ（空のシリンジ）を薬液注入装置が押圧している時にも、薬液が充填されている場合と同様に、測定部１１により一定の圧力値が測定されることとなる。そして、取得部２１は、薬液が充填されている場合と同様、所定の測定値を取得する。
【００５３】
このように、薬液が充填されている場合及び空気が充填されている場合いずれにおいても同様に、取得部２１は所定の圧力値（測定値）を示す測定データを取得することとなる。本実施形態では、表示部２２の特徴的な構成により、空気が充填されている場合と、薬液が充填されている場合とで異なる表示を実現する。以下、説明する。
【００５４】
まず、本実施形態においては、「測定装置１０（測定部１１）の測定分解能ｙが、表示部２２（表示装置２０）の表示分解能ｘよりも小さい。」という前提が存在する。例えば、表示部２２の表示分解能ｘが０．１ｋｇ／ｃｍ２の場合、測定部１１の測定分解能ｙは当該値より小、例えば０．０１ｋｇ／ｃｍ２となる。また、例えば、表示部２２の表示分解能ｘが１００ＰＳＩの場合、測定部１１の測定分解能ｙは当該値より小、例えば１０ＰＳＩとなる。
【００５５】
このため、表示部２２は、圧力の表示を行う前に、取得部２１が取得した測定分解能ｙの測定データを、表示分解能ｘにあわせる変換を行う必要がある。本実施形態の表示部２２は、当該変換を行うための変換ルールを予め保持しておき、当該変換ルールに基づいて測定データの値を表示分解能ｘにあわせる変換を行う。
【００５６】
図６に、当該変換ルールの一例を模式的に示す。図示する「Ｍ〜Ｎ」の表示において、下線を引かれた数字はその範囲に含まれ、下線を引かれていない数字はその範囲に含まれないことを意味する。当該前提は、以下同様である。図６の変換ルールによれば、測定値が０以上ａ未満の時、０に変換され、測定値がａ以上ｂ未満の時、Ｘに変換され、測定値がｂ以上ｃ未満の時、２Ｘに変換されることが分かる。
【００５７】
図７及び図８に、当該変換ルールの具体例を模式的に示す。図７は、測定値の単位がｋｇ／ｃｍ２である場合の変換ルールであり、図８は、測定値の単位がＰＳＩである場合の変換ルールである。
【００５８】
図７の変換ルールによれば、測定値が０．００ｋｇ／ｃｍ２以上０．０７ｋｇ／ｃｍ２未満の時、０．０ｋｇ／ｃｍ２に変換され、測定値が０．０７ｋｇ／ｃｍ２以上０．１７ｋｇ／ｃｍ２未満の時、０．１ｋｇ／ｃｍ２に変換されることが分かる。
【００５９】
図８の変換ルールによれば、測定値が０ＰＳＩ以上６０ＰＳＩ未満の時、０ＰＳＩに変換され、測定値が６０ＰＳＩ以上１６０ＰＳＩ未満の時、１００ＰＳＩに変換されることが分かる。
【００６０】
なお、変換ルールは、変換値が０となる測定値の範囲（以下、０変換範囲）に、「空気が充填されているシリンジのプランジャを薬液注入装置が押圧した場合に測定部１１により測定される測定値ｐ」が含まれるよう作成されている。換言すれば、変換ルールは、「空気が充填されているシリンジのプランジャを薬液注入装置が押圧した場合に測定部１１により測定される測定値ｐ」は０に変換されるよう構成されている。
【００６１】
また、変換ルールは、０変換範囲に、「薬液が充填されているシリンジのプランジャを薬液注入装置が押圧した場合に測定部１１により測定される測定値ｑ」が含まれないように作成されている。換言すれば、変換ルールは、「薬液が充填されているシリンジのプランジャを薬液注入装置が押圧した場合に測定部１１により測定される測定値ｑ」は０に変換されないよう構成されている。
【００６２】
このように、変換ルールは、「空気が充填されているシリンジのプランジャを薬液注入装置が押圧した場合に測定部１１により測定される測定値ｐ」、及び、「薬液が充填されているシリンジのプランジャを薬液注入装置が押圧した場合に測定部１１により測定される測定値ｑ」を異なる値に変換するよう構成されている。
【００６３】
図６に示す変換ルールの場合、ｐ＜ａ≦ｑを満たすように、変換ルールが生成されている。すなわち、０変換範囲の上限がｐより大、ｑ以下を満たすようになっている。例えば、予め、表示装置２０の製造メーカやオペレータ等が、事前の実験により、上記ｐ及びｑの値を特定する。そして、特定したｐの値やｑの値に基づいて、上述のような変換ルールを作成し、表示部２２に記憶させる。
【００６４】
表示部２２は、このような変換ルールに基づいて測定値を変換した後、変換値に基づいて圧力表示を行う。具体的には、変換値が０でない場合、表示部２２は、現時点の圧力がその変換値である旨の表示を行う。一方、変換値が０である場合、表示部２２は、空気が充填されているシリンジのプランジャを薬液注入装置が押圧している旨の表示を行う。
【００６５】
このように、本実施形態では、特徴的な変換ルールにより、測定データを表示分解能ｘにあわせる変換の際に、「空気が充填されているシリンジのプランジャを薬液注入装置が押圧している状態」と、「薬液が充填されているシリンジのプランジャを薬液注入装置が押圧している状態」とに分類するよう構成されている。
【００６６】
ここで、図９及び図１０に、変換後の圧力（変換値）に基づいて表示部２２が圧力を表示する画面（以下、圧力表示画面）の一例を示す。
【００６７】
図９の例の場合、横軸に、押圧開始からの経過時間をとり、縦軸に、薬液注入装置がプランジャを押圧する圧力をとったグラフにおいて、押圧開始からの当該圧力の時間変化が実線（折れ線）で示されている。当該例の表示分解能ｘは、０．１ｋｇ／ｃｍ２である。当該圧力表示画面には、その他、押圧開始からの経過時間や、現時点の圧力や、圧力リミット等が表示されている。
【００６８】
当該例の場合、薬液が充填されているシリンジのプランジャを薬液注入装置が押圧している時（変換値が０と異なる）には、変換値がグラフ上の所定の位置（縦軸は当該変換値、横軸は当該データの測定タイミングに対応した位置）にプロットされ、実線（折れ線）でその直前のプロットデータと繋がれる。当該実線はオペレータが視認できる態様（例：横軸と重ならない態様）で表示される。
【００６９】
一方、空気が充填されているシリンジのプランジャを薬液注入装置が押圧している時（変換値が０）には、その旨の表示を行う。その旨の表示は、オペレータがそれを認識できるものであればよく、特段制限されない。例えば、グラフ上において、その時間に対応する位置（横軸が当該データの測定タイミングに対応した位置）にデータをプロットしない表示としてもよい。この場合、この間、図９に示すような圧力を示す実線（折れ線）が表示されない状態となる。その他、グラフ上において、その時間に対応する位置（横軸が当該データの測定タイミングに対応した位置）のデータを横軸上にプロットしてもよい。この場合、この間、図９に示すような圧力を示す実線（折れ線）は横軸と重なる。結果、上記いずれの例においても、オペレータは、グラフ上の上記実線を視認できなくなる。このため、薬液が充填されている場合と空気が充填されている場合とで、異なる表示が実現される。その他、圧力表示画面上に、警告情報（マーク、文章、点滅等）を出力してもよい。当該警告情報は、薬液が充填されている場合には表示されない。このため、薬液が充填されている場合と空気が充填されている場合とで、異なる表示が実現される。
【００７０】
図１０の例の場合、圧力表示画面の最も下に、圧力が示されている。当該例では、１００ＰＳＩ、２００ＰＳＩ、・・・、１２００ＰＳＩ各々に対応したオブジェクト（以下、圧力オブジェクト）を表示されている。当該例の表示分解能ｘは、１００ＰＳＩである。当該圧力表示画面には、その他、押圧開始からの経過時間や、現時点の注入速度や、現時点までに注入した薬液の量（Ａ）や、注入する薬液の量（Ｂ）や、ＡとＢとの比較が可能な図等が表示されている。
【００７１】
当該例の場合、薬液が充填されているシリンジのプランジャを薬液注入装置が押圧している時（変換値が０と異なる）には、変換値に対応する圧力オブジェクトが強調表示される。すなわち、いずれか１つの圧力オブジェクトが強調表示される。図の例の場合、８００ＰＳＩが強調表示されている。これにより、現在の圧力は大体８００ＰＳＩであることが分かる。
【００７２】
一方、空気が充填されているシリンジのプランジャを薬液注入装置が押圧している時（変換値が０）には、その旨の表示を行う。その旨の表示は、オペレータがそれを認識できるものであればよく、特段制限されない。例えば、すべての圧力オブジェクトを強調表示してもよいし、又は、すべての圧力オブジェクトを非強調表示してもよい。その他、圧力表示画面上に、警告情報（マーク、文章、点滅等）を出力してもよい。いずれの例においても、薬液が充填されている場合（いずれか１つの圧力オブジェクトが強調表示）と異なる表示が実現される。
【００７３】
以上説明した本実施形態の表示システム１によれば、空気が充填されているシリンジ（空のシリンジ）のプランジャを薬液注入装置が押圧した場合、その旨の表示を行うことができる。オペレータは、当該表示を視認することで、空のシリンジ（空気が充填されているシリンジ）がセットされた状態で薬液注入装置に注入動作を行わせるという誤操作に気付くことができる。
【００７４】
また、本実施形態の場合、空気が充填されているシリンジ（空のシリンジ）のプランジャを薬液注入装置が押圧した場合と、薬液が充填されているシリンジのプランジャを薬液注入装置が押圧した場合とで、異なる画面表示を行うことができる。このため、オペレータが、「空気が充填されているシリンジ（空のシリンジ）のプランジャを薬液注入装置が押圧している旨の表示」の詳細を把握していない場合であっても、正常時（薬液が充填されているシリンジのプランジャを薬液注入装置が押圧している状態）と異なる画面表示を視認することで、異変に気付くことができる。
【００７５】
また、薬液注入作業中、オペレータは、注入圧力の変化をモニタリングしている可能性が高い。本実施形態の場合、このような画面において、空気が充填されているシリンジのプランジャを薬液注入装置が押圧している旨の表示を行うので、オペレータが当該情報を見落とす不都合を軽減できる。
【００７６】
また、本実施形態では、「測定装置１０（測定部１１）の測定分解能ｙが、表示部２２（表示装置２０）の表示分解能ｘよりも小さい。」という前提が存在する。このため、表示部２２は、圧力の表示を行う前に、取得部２１が取得した測定分解能ｙの測定データを、表示分解能ｘにあわせる変換を行う必要がある。そして、本実施形態では、このような変換処理時に、測定データを、「空気が充填されているシリンジ（空のシリンジ）のプランジャを薬液注入装置が押圧している時のデータ」と、「薬液が充填されているシリンジのプランジャを薬液注入装置が押圧している時のデータ」とに分類することができる。このため、変換処理と分類処理を別々に行う場合に比べて、コンピュータの処理負担を軽減できる。
【００７７】
なお、当該実施形態では、「測定値が０以上ａ未満の時」、空気が充填されているシリンジのプランジャを薬液注入装置が押圧している旨の表示を行う形態を説明したが、測定値が「０以上ａ以下の時」としても、同様の作用効果が実現されるのはいうまでもない。当該前提は、以下の全ての実施形態において同様である。
【００７８】
＜第２の実施形態＞
本実施形態の表示システム１は、測定装置が測定データの値を表示分解能ｘに合わせる変換を行う点で、第１の実施形態と異なる。
【００７９】
図１１に、本実施形態の測定装置１０の機能ブロック図の一例を示す。図示するように、測定装置１０は、測定部１１と、第１補正部１２とを有する。測定部１１の構成は、第１の実施形態と同様である。
【００８０】
第１補正部１２は、測定部１１が測定した測定分解能ｙの測定データに対して、値を表示分解能ｘにあわせる変換を行う。当該変換の詳細は、第１の実施形態で説明した表示部２２による変換と同様であるので、ここでの説明は省略する。
【００８１】
本実施形態の測定装置１０は、測定部１１が測定した測定分解能ｙの測定データを表示装置２０に送信するのでなく、第１補正部１２が変換した後の測定データを表示装置２０に送信する。
【００８２】
本実施形態の表示装置２０の取得部２１は、このような変換後の測定データを取得する。そして、表示部２２は、第１の実施形態で説明した変換を行わず、取得部２１が取得した変換後の測定データをそのまま用いて、第１の実施形態と同様の表示を行う。
【００８３】
以上説明した本実施形態によれば、第１の実施形態と同様な作用効果を実現することができる。
【００８４】
＜第３の実施形態＞
本実施形態の表示システム１は、表示装置２０が０変換範囲を変更する手段を有する点で、第１の実施形態と異なる。例えば、シリンジの構成に応じて、空気が充填されているシリンジ（空のシリンジ）のプランジャを薬液注入装置が押圧した場合に測定部１１により測定される測定値ｐが変わり得る。また、シリンジの構成やシリンジに充填されている薬液の種類に応じて、当該薬液が充填されているシリンジのプランジャを薬液注入装置が押圧した場合に測定部１１により測定される測定値ｑが変わり得る。このような変化に応じて、ｐ＜ａ≦ｑを満たすａの範囲も異なり得る。
【００８５】
本実施形態によれば、薬液注入装置にセットされるシリンジの構成や充填されている薬液の種類に応じて、０変換範囲を適切な値に変更することができる。例えば、図６に示す変換ルールのａの値を変更することができる。
【００８６】
図１２に、本実施形態の表示装置２０の機能ブロック図の一例を示す。図示するように、表示装置２０は、取得部２１と、表示部２２と、変更部２３とを有する。取得部２１及び表示部２２の構成は、第１の実施形態で説明した通りである。
【００８７】
変更部２３は、第１の実施形態で説明した変換ルールの内容を変更するよう構成されている。具体的には、変更部２３は、変換ルールにおける０変換範囲、例えば、図６に示すａの値（上限。下限は０で固定。）を変更するよう構成されている。変更部２３は、ａの値の変更に応じ、他の値（図６のｂ、ｃ等）を変更してもよいし、ａの値のみを変更してもよい。
【００８８】
なお、変換ルールの内容を変更する（ａの値を変更する）とは、表示部２２による変換処理に利用される変換ルールの内容を変更するという意味である。当該変更を実現できれば、その具体的な手段は特段制限されない。例えば、変更部２３は、変換ルールの内容自体を書き換えてもよい（更新）。または、変更部２３は、内容が互いに異なる複数の変更ルールを保持しており、その中の１つを表示部２２による変換処理に利用される変換ルールとして設定するよう構成されていてもよい。そして、変更部２３は、設定する変換ルールを変更することで、変換ルールの内容の変更を実現してもよい。
【００８９】
次に、変更部２３が変換ルールの内容を変更する具体例について説明する。例えば、変更部２３は、ａの値を指定する入力をユーザから受付けてもよい。例えば、変更部２３は、ａの値を指定する入力として、数値の入力を受付けてもよい。そして、変更部２３は、例えば図６に示す変換ルールのａの値を、受付けた数値に変更してもよい。その他、変更部２３は、互いに内容が異なる複数の変換ルールの中から１つを指定する入力を受付けてもよい。例えば、変更部２３は、複数の変換ルールを、その内容を確認可能な状態でユーザに向けて表示する手段と、複数の変換ルールの中から１つを指定する入力を受付ける手段とを有してもよい。そして、変更部２３は、指定された変換ルールで表示部２２が変換処理を行うよう設定してもよい。
【００９０】
この例の場合、ユーザ（例：薬液注入装置のオペレータ）は、これから使用するシリンジの構成やシリンジに充填されている薬液の種類に応じて適切なａの値を特定し、所定の入力を行うことができる。適切なａの値とは、ｐ＜ａ≦ｑを満たす値である。
【００９１】
その他の例として、変更部２３は、薬液注入装置にセットされるシリンジ及び当該シリンジに充填される薬液の少なくとも一方に関する情報の入力を受付けてもよい。そして、当該情報に基づきａの値を決定し、変換ルールのａの値を決定した値に変更してもよい。又は、当該情報に基づき、複数の変換ルールの中から適切な１つを特定し、特定した変換ルールで表示部２２が変換処理を行うよう設定してもよい。
【００９２】
シリンジに関する情報は、シリンジＩＤ等であり、例えば、第１の実施形態で説明した「シリンジの情報」が該当する。また、シリンジに充填される薬液の情報は、薬液ＩＤ等であり、例えば、第１の実施形態で説明した「薬液の情報」が該当する。
【００９３】
変更部２３は、例えば、シリンジに付されたＲＦＩＤチップ、ＨＩＳ、ＲＩＳ、ＰＡＣＳ、透視撮像装置、他の外部装置等から、これらの情報を取得することができる。
【００９４】
その他、変更部２３は、シリンジに接続される各シリンジ専用のシリンジアダプタの種類を識別してもよい。そして、変更部２３は、シリンジアダプタとシリンジとを対応付けたデータベース検索し、識別したシリンジアダプタに搭載されているシリンジの種類を識別してもよい。その後、変更部２３は、シリンジごとにシリンジに関する情報を記録したデータベースを検索し、識別したシリンジに対応する情報を取得してもよい。
【００９５】
シリンジアダプタの種類を特定する手段としては、マグネットを利用したものが考えられる。例えば、シリンジアダプタの所定位置に露出面がＮ極又はＳ極となったマグネットを付しておき、薬液注入装置側に設けられたマグネットセンサで当該マグネットの情報（露出面の極）を取得する。マグネットを複数個用いることで、露出面の極の組み合わせを複数パターン形成できる。そして、各パターンとシリンジアダプタとを対応付けておくことで、マグネットセンサが読み取った情報からシリンジアダプタの種類を識別できる。
【００９６】
その他、シリンジアダプタに、各々に固有の物理的な特徴（凸部、溝、それらの大きさ、位置等）を設けておいてもよい。また、薬液注入装置側に物理的なボタンを複数個設けておいてもよい。上記物理的な特徴により、複数の上記ボタンのＯＮ／ＯＦＦの組み合わせが互いに異なるように構成される。この場合、複数のボタンのＯＮ／ＯＦＦの組み合わせパターンを識別することで、薬液注入装置に搭載されたシリンジアダプタの種類を識別できる。なお、ここでの例示はあくまで一例であり、その他の手段でシリンジアダプタの種類を特定してもよい。
【００９７】
そして、変更部２３は、図１３に示すような、シリンジＩＤと、ａの値とを対応付けた対応情報（ａ値決定ルール）を保持しておいてもよい。そして、変更部２３は、取得した「シリンジの情報」と、ａ値決定ルールとに基づいて、薬液注入装置にセットされるシリンジに対応した最適なａの値をセットしてもよい。なお、内容が互いに異なる複数の変換ルールから１つを指定する例の場合、変更部２３は、シリンジＩＤと、変換ルールＩＤとを対応付けた対応情報（不図示）を保持しておき、同様の処理を行ってもよい。
【００９８】
その他、変更部２３は、図１４に示すような、シリンジと薬液のペア各々と、ａの値とを対応付けた対応情報（ａ値決定ルール）を保持しておいてもよい。そして、変更部２３は、取得した「シリンジの情報」及び「薬液の情報」と、ａ値決定ルールとに基づいて、薬液注入装置にセットされるシリンジ及び薬液に対応した最適なａの値をセットしてもよい。なお、内容が互いに異なる複数の変換ルールから１つを指定する例の場合、変更部２３は、シリンジと薬液のペア各々と、変換ルールＩＤとを対応付けた対応情報（不図示）を保持しておき、同様の処理を行ってもよい。
【００９９】
例えば、図１３及び図１４に示すａ値決定ルールは、薬液注入装置のオペレータや管理者等が、予め作成し、変更部２３に保持させておくことができる。そして、薬液注入装置のオペレータや管理者は、その後の任意のタイミングで、図１３及び図１４に示すａ値決定ルールにおけるａ値を変更する入力を行うことができる。変更部２３は、当該入力に従い、予め保持していた図１３及び図１４に示すａ値決定ルールにおけるａ値を変更する。
【０１００】
以上説明した本実施形態の表示システム１によれば、第１及び第２の実施形態と同様な作用効果を実現できる。
【０１０１】
また、本実施形態の表示システム１によれば、０変換範囲、すなわち、「空気が充填されているシリンジのプランジャを薬液注入装置が押圧している旨の表示」を行うこととなる測定値の範囲を変更することができる。具体的には、０変換範囲の上限値ａを変更することができる。
【０１０２】
薬液が充填されている場合には圧力を表示し、空気が充填されている場合には「空気が充填されているシリンジのプランジャを薬液注入装置が押圧している旨の表示」を行う表示処理を実現するためには、ｐ＜ａ≦ｑを満たす必要がある。
【０１０３】
しかし、シリンジの構成に応じて、空気が充填されているシリンジ（空のシリンジ）のプランジャを薬液注入装置が押圧した場合に測定部１１により測定される測定値ｐが変わり得る。また、シリンジの構成やシリンジに充填されている薬液の種類に応じて、当該薬液が充填されているシリンジのプランジャを薬液注入装置が押圧した場合に測定部１１により測定される測定値ｑが変わり得る。このため、ｐ＜ａ≦ｑを満たすａの範囲が異なり得る。
【０１０４】
本実施形態では、薬液注入装置にセットされるシリンジの構成や、充填される薬液に応じて、０変換範囲の上限を適切な値に変更することができる。このため、シリンジの構成や薬液の種類に関わらず、ｐ＜ａ≦ｑを満たすことができる。すなわち、シリンジの構成や薬液の種類に関わらず、薬液が充填されている場合には圧力を表示し、空気が充填されている場合には「空気が充填されているシリンジのプランジャを薬液注入装置が押圧している旨の表示」を行う表示処理を実現することができる。
【０１０５】
＜第４の実施形態＞
本実施形態の表示システム１は、測定装置１０が０変換範囲を変更する手段を有する点で、第２の実施形態と異なる。
【０１０６】
図１５に、本実施形態の測定装置１０の機能ブロック図の一例を示す。図示するように、測定装置１０は、測定部１１と、第１補正部１２と、変更部１３とを有する。測定部１１及び第１補正部１２の構成は、第１及び第２の実施形態で説明した通りである。変更部１３の構成は、第３の実施形態で説明した変更部２３の構成と同様である。
【０１０７】
以上説明した本実施形態によれば、第１乃至第３の実施形態と同様な作用効果を実現できる。
【０１０８】
＜第５の実施形態＞
本実施形態は、測定装置１０又は表示装置２０が、測定装置１０により測定された測定値から所定値ｒを差し引く補正手段を有する点で、第１乃至第４の実施形態と異なる。その他の構成は、第１乃至第４の実施形態と同様である。
【０１０９】
図１６に、本実施形態の測定装置１０の機能ブロック図の一例を示す。図示するように、測定装置１０は、測定部１１と、第２補正部１４とを有する。
【０１１０】
図１７に、本実施形態の表示装置２０の機能ブロック図の一例を示す。図示するように、表示装置２０は、取得部２１と、表示部２２と、第２補正部１４とを有する。
【０１１１】
なお、測定装置１０及び表示装置２０の少なくとも一方が第２補正部１４を有していればよく、必ずしも両方が第２補正部１４を備えなくてもよい。
【０１１２】
第２補正部１４は、測定部１１が測定した測定値を示す測定データに対して、測定値から所定値ｒを差し引く補正を行う。そして、表示部２２は、所定値を差し引いた後の測定値（補正後測定値）を、上述と同様の方法で変換し、変換値を用いて所定の表示を行う。または、第１補正部１２は、所定値を差し引いた後の測定値（補正後測定値）を、上述と同様の方法で変換する。そして、取得部２１は、第１補正部１２により変換された後の補正後測定値を取得する。
【０１１３】
第１乃至第４の実施形態では、変換ルールにおける０変換範囲を特徴的な範囲とすることで、空気が充填されているシリンジのプランジャを薬液注入装置が押圧している時に測定される測定値が、０に変換されるようにした。
【０１１４】
これに対して、本実施形態では、測定部１１が測定した測定値から所定値を差し引くことで、差し引いた後の補正値が０変換範囲に含まれるようにする。
【０１１５】
また、第３及び第４実施形態では、０変換範囲を変更できるように構成することで、シリンジの構成や、薬液の種類に関わらず、薬液が充填されている場合には圧力を表示し、空気が充填されている場合には「空気が充填されているシリンジのプランジャを薬液注入装置が押圧している旨の表示」を行う表示処理を実現した。
【０１１６】
これに対して、本実施形態では、測定部１１が測定した測定値から差し引く所定値を変更できるように構成することで、上記表示処理を実現する。
【０１１７】
例えば、第２補正部１４は、空気が充填されているシリンジのプランジャを薬液注入装置が押圧した場合に測定部１１により測定される測定値ｐに基づき決定された所定値ｒを、測定値又は変換値から差し引いてもよい。所定値ｒは、（ｐ−ｒ）が０変換範囲に含まれる、すなわち、０＜（ｐ−ｒ）＜ａを満たすように決定される。
【０１１８】
その他、第２補正部１４は、薬液が充填されているシリンジのプランジャを薬液注入装置が押圧した場合に測定部１１により測定される測定値ｑに基づき決定された所定値ｒを、測定値又は変換値から差し引いてもよい。所定値ｒは、（ｑ−ｒ）が０変換範囲に含まれない、すなわち、ａ≦（ｑ−ｒ）を満たすように決定される。
【０１１９】
上記ｐ及びｑの両方に基づけば、０＜（ｐ−ｒ）＜ａ≦（ｑ−ｒ）を満たすようにｒの値は決定される。
【０１２０】
なお、第２補正部１４は、ｒの値を指定する入力をユーザから受付けてもよい。この場合、ユーザ（例：薬液注入装置のオペレータ）は、これから使用するシリンジの構成や薬液の種類等に応じて適切なｒの値を決定し、入力することができる。なお、適切なｒの値とは、上述の通り、０＜（ｐ−ｒ）＜ａ≦（ｑ−ｒ）を満たす値である。
【０１２１】
その他、変更部２３は、薬液注入装置にセットされるシリンジ及び当該シリンジに充填される薬液の少なくとも一方に関する情報の入力を受付けてもよい。そして、当該情報に基づきｒの値を決定してもよい。
【０１２２】
シリンジに関する情報は、シリンジＩＤ等であり、例えば、第１の実施形態で説明した「シリンジの情報」が該当する。また、シリンジに充填される薬液の情報は、薬液ＩＤ等であり、例えば、第１の実施形態で説明した「薬液の情報」が該当する。第２補正部１４は、例えば、シリンジに付されたＲＦＩＤチップ、ＨＩＳ、ＲＩＳ、ＰＡＣＳ、透視撮像装置、他の外部装置等から、これらの情報を取得することができる。その他、第２補正部１４は、シリンジに接続される各シリンジ専用のシリンジアダプタを利用して上記情報を取得してもよい。当該手段の説明は上述したので、ここでは省略する。
【０１２３】
そして、変更部２３は、図１８に示すような、シリンジと薬液のペア各々と、所定値ｒとを対応付けた情報（ｒ値決定ルール）を保持していてもよい。そして、シリンジ及び薬液に関する情報と、ｒ値決定ルールとに基づいて、適切なｒの値を決定してもよい。
【０１２４】
以上説明した本実施形態によれば、第１乃至第４の実施形態と同様な作用効果を実現できる。
【０１２５】
以下、参考形態の例を付記する。
１．  薬液注入装置がシリンジのプランジャを押圧する圧力を測定する測定装置と、
前記測定装置による測定結果に基づき、前記薬液注入装置が前記プランジャを押圧する圧力を表示する表示装置と、を有し、
前記表示装置は、空気が充填されている前記シリンジの前記プランジャを前記薬液注入装置が押圧している場合、その旨の表示を行う表示システム。
２．  １に記載の表示システムにおいて、
前記測定装置が圧力を測定する測定分解能ｙは、前記表示装置が圧力を表示する表示分解能ｘよりも小さく、
前記表示装置は、
前記測定装置が測定した測定値を示す測定データを取得する取得部と、
前記測定値が０以上ａ未満又は０以上ａ以下の時、空気が充填されている前記シリンジの前記プランジャを前記薬液注入装置が押圧している旨の表示を行う表示部と、
を有し、
空気が充填されている前記シリンジの前記プランジャを前記薬液注入装置が押圧した場合に前記測定部により測定される測定値ｐは、０より大ａ未満又は０より大ａ以下である表示システム。
３．  １に記載の表示システムにおいて、
前記測定装置が圧力を測定する測定分解能ｙは、前記表示装置が圧力を表示する表示分解能ｘよりも小さく、
前記測定装置は、
測定分解能ｙで圧力を測定する測定部と、
前記測定部が測定した測定値を示す測定データに対して、値を表示分解能ｘにあわせる補正を行う第１補正部と、
を有し、
前記表示装置は、
前記第１補正部により補正された補正後の前記測定データを取得する取得部と、
前記補正後の前記測定データが０以上ａ未満又は０以上ａ以下の時、空気が充填されている前記シリンジの前記プランジャを前記薬液注入装置が押圧している旨の表示を行う表示部と、
を有し、
前記第１補正部は、前記測定値が０以上ａ未満又は０以上ａ以下の時、補正後の値が０となるように補正し、
空気が充填されている前記シリンジの前記プランジャを前記薬液注入装置が押圧した場合に前記測定部により測定される測定値ｐは、０より大ａ未満又は０より大ａ以下である表示システム。
４．  ２又は３に記載の表示システムにおいて、
前記測定装置又は前記表示装置は、ａの値を変更する変更部をさらに有する表示システム。
５．  ４に記載の表示システムにおいて、
前記変更部は、ａの値を指定する入力を受付け、受付けた内容に従いａの値を変更する表示システム。
６．  ４に記載の表示システムにおいて、
前記変更部は、前記シリンジ及び前記シリンジに充填される薬液の少なくとも一方に関する情報の入力を受付け、前記情報に基づき決定した値にａの値を変更する表示システム。
７．  １に記載の表示システムにおいて、
前記測定装置又は前記表示装置は、
前記測定装置が測定した測定値を示す測定データに対して、前記測定値から所定値を差し引く補正を行う第２補正部を有し、
前記表示装置は、
前記第２補正部により補正された補正後の前記測定データが０以上ａ未満の時又は０以上ａ以下の時、空気が充填されている前記シリンジの前記プランジャを前記薬液注入装置が押圧している旨の表示を行う表示部を有する表示システム。
８．  ７に記載の表示システムにおいて、
前記第２補正部は、空気が充填されている前記シリンジの前記プランジャを前記薬液注入装置が押圧した場合に前記測定装置により測定される測定値ｐに基づき決定された前記所定値を、前記測定値から差し引く表示システム。
９．  ７に記載の表示システムにおいて、
前記第２補正部は、前記所定値を指定する入力を受付け、受付けた前記所定値を前記測定値から差し引く表示システム。
１０．  ７に記載の表示システムにおいて、
前記第２補正部は、前記シリンジ及び前記シリンジに充填される薬液の少なくとも一方に関する情報の入力を受付け、前記情報に基づき決定した前記所定値を、前記測定値から差し引く表示システム。
１１．  １から１０のいずれかに記載の表示システムにおいて、
前記シリンジは、前記シリンジに関する情報を付されたプレフィルドシリンジ又は空シリンジである表示システム。
１２．  １から１１のいずれかに記載の表示システムが有する測定装置。
１３．  １から１１のいずれかに記載の表示システムが有する表示装置。
１４．  コンピュータが、
薬液注入装置がシリンジのプランジャを押圧する圧力を測定する測定装置による測定結果に基づき、前記薬液注入装置が前記プランジャを押圧する圧力を表示する表示工程を実行し、
前記表示工程では、空気が充填されている前記シリンジの前記プランジャを前記薬液注入装置が押圧している場合、その旨の表示を行う表示方法。
１５．  コンピュータを、
薬液注入装置がシリンジのプランジャを押圧する圧力を測定する測定装置による測定結果に基づき、前記薬液注入装置が前記プランジャを押圧する圧力を表示する表示手段として機能させ、
前記表示手段に、空気が充填されている前記シリンジの前記プランジャを前記薬液注入装置が押圧している場合、その旨の表示を行わせるプログラム。
【符号の説明】
【０１２６】
１Ａ    ＣＰＵ
２Ａ    ＲＡＭ
３Ａ    ＲＯＭ
４Ａ    表示制御部
５Ａ    ディスプレイ
６Ａ    操作受付部
７Ａ    操作部
８Ａ    通信部
９Ａ    補助記憶装置
１０Ａ  バス
１      表示システム
１０    測定装置
１１    測定部
１２    第１補正部
１３    変更部
１４    第２補正部
２０    表示装置
２１    取得部
２２    表示部
２３    変更部
３０    注入実行ユニット
３１    保持部
３２    押圧部
３３    ディスプレイ
４０    注入制御ユニット
４１    ディスプレイ
５０    中継装置
５１    ディスプレイ
【図１】
0006644469.tif 000002
【図２】
0006644469.tif 000003
【図３】
0006644469.tif 000004
【図４】
0006644469.tif 000005
【図５】
0006644469.tif 000006
【図６】
0006644469.tif 000007
【図７】
0006644469.tif 000008
【図８】
0006644469.tif 000009
【図９】
0006644469.tif 000010
【図１０】
0006644469.tif 000011
【図１１】
0006644469.tif 000012
【図１２】
0006644469.tif 000013
【図１３】
0006644469.tif 000014
【図１４】
0006644469.tif 000015
【図１５】
0006644469.tif 000016
【図１６】
0006644469.tif 000017
【図１７】
0006644469.tif 000018
【図１８】
0006644469.tif 000019
【図１９】
0006644469.tif 000020
【図２０】
0006644469.tif 000021
【図２１】
0006644469.tif 000022
【図２２】
0006644469.tif 000023
【図２３】
0006644469.tif 000024